(57)【要約】      （修正有）【課題】コンセントとプラグとの接合面の間隙にホコリ、ゴミ等が堆積後吸湿し、そこから沿面放電による火災死亡事故を防止する。【解決手段】コンセント２とプラグ１の対面する電極間の接合面を、それらと並行の方向に各種の凹凸（台形等）形状でせん断力より垂直加圧力で密着勘合させ、その長さは電極間距離より長くして沿面放電電圧を高める。これを基本として、この凹凸接合を保持する為、周辺に小バネフック等の弛み防止具８を設ける。その凹凸部の片方の表面に可撓性の絶縁材料をモールドしてボイドレスの良質の絶縁体にする。これら界面下にそれぞれ磁石３を内臓させ、磁力により凹凸面を加圧して沿面放電特性を更に向上させる。密着勘合する順逆の凹凸の断面形状は台形、円弧形、多角形、等にすることを選択的に付加する。【選択図】図１
2005251714.tif 000002
【特許請求の範囲】
【請求項１】
従来のコンセント２とプラグ１の対面する電極間の接合面を、それらと並行の方向に各種の凹凸（台形等）形状でせん断力より垂直加圧力で密着勘合させ、その長さは電極間距離より長くして沿面放電電圧を高める。この基本に（ａ）この凹凸接合を保持する為に凹凸部の内、外、周辺部に小バネフック等の弛み防止具８を設け、（ｂ）その凹凸部、またはそれらの表面を片方か両方共、可撓性の絶縁材料にして界面を無くしボイドレスの良質の絶縁体にする。（ｃ）これら界面下にそれぞれ磁石３を内臓させ、磁力により凹凸表面を加圧して沿面放電特性を更に向上させる。プラグを抜き取る時は片方の磁石を反転軸とハンドル７で回転させ、その磁力を弱めても良い。密着勘合する順逆の凹凸の断面形状は台形、円弧形、多角形、等にする。この基本に、これら（ａ）（ｂ）（ｃ）を付加する組み合わせは自由とする。
【発明の詳細な説明】
【発明の詳細な説明】
【０００１】「発明の属する技術分野」
電源用のプラグとコンセントに関するものである。
【０００２】「従来の技術」
最近プラグ電極の脚部を薄厚の絶縁シートでモールドするものが登場し出しているが、この接合界面が沿面放電方向と一致しておりこの対策は気休めにすぎない。加えてモールド脚全表面とコンセント間の密着が悪く、特に電極の厚み表面に間隙がある。この改良に努めると擦れによる磨耗と捲くれが恐ろしい。
【０００３】「発明が解決しようとする課題」
長年の間に数多くコードの引っ張りや振動等によりコンセントとプラグとの接合界面が離れ、そこにホコリ、ゴミ等が堆積して吸湿しそこから沿面放電による火災が発生し、多くの人命が失われていた。
【０００４】「問題を解決する為の手段」
従来のコンセント２とプラグ１の対面する電極間の接合面を、それらと並行の方向に各種の凹凸（台形等）形状でせん断力より垂直加圧力で密着勘合させ、その長さは電極間距離より長くして沿面放電電圧を高める。この基本に（ａ）この凹凸接合を保持する為に凹凸部の内、外、周辺部に小バネフック等の弛み防止具８を設け、（ｂ）その凹凸部、またはそれらの表面を片方か両方共、可撓性の絶縁材料にして界面を無くし、ボイドレスの良質の絶縁体にする。（ｃ）これら界面下にそれぞれ磁石３を内臓させ、磁力により凹凸表面を加圧して沿面放電特性を更に向上させる。プラグを抜き取る時は片方の磁石を反転軸とハンドル７で回転させ、その磁力を弱めても良い。密着勘合する順逆の凹凸の断面形状は台形、円弧形、多角形、等にする。この基本に、これら（ａ）（ｂ）（ｃ）を付加する組み合わせは自由とする。
【０００５】「発明の実施の形態」
コンセントの両電極中央に設ける凸部の寸法を一例として底部は幅６．１ｍｍ、長さ１５．１ｍｍ、上部は幅３．１ｍｍ、長さ１２．１ｍｍ、高さ５．１ｍｍ、の縦断面が凸台形形状に、プラグの受け凹部はそれぞれ６．０ｍｍ、１５．０ｍｍ、３．０ｍｍ、１２．０ｍｍ、５．０ｍｍとする。また両界面が外力等で弛んで剥離しないように各界面下に強力な幅３．０ｍｍ、長さ１０．０ｍｍ、厚さ２．０ｍｍの厚さ方向をＮ、Ｓ対面とする磁石を内臓させる。磁力は抜き取る時ちよつと捩れば簡単に抜ける強さにする。
「効果」
長い間に数多くコードの引っ張りや振動等によりコンセントとプラグ間が解離し、そこにゴミ、ホコリ等堆積して吸湿し、沿面放電による火災が発生し、多くの人命が失われていたのが、この新コンセントとプラグによりこの種の火災を完全に防止する事が出来る。
【図面の簡単説明】
「図１」
プラグ、コンセントの接合面の凹凸勘合部、両者の確保用バネフツク、吸引用内臓磁石を示す縦断面図である。
「図２」
同上コンセントの平面図である。
【符号の説明】
１  プラグ    ２  コンセント    ３  磁石    ４  ゴム絶縁体
５  プラグ差込電極    ６  受け電極    ７  反転軸とハンドル
８  小バネフック
【図１】
2005251714.tif 000003
【図２】
2005251714.tif 000004
【手続補正書】
【提出日】平成16年8月5日(2004.8.5)
【手続補正１】
【補正対象書類名】明細書
【補正対象項目名】全文
【補正方法】変更
【補正の内容】
【書類名】                  明細書    【発明の名称】              沿面放電レスのプラグとコンセント    【発明の詳細な説明】    【０００１】    【産業上の利用分野】    この発明は電源用のプラグとコンセントに関するものである。    【０００２】    【従来の技術】    最近プラグ電極の脚部を薄厚の絶縁チューブでモールドするものや、電極回りに除塵    カバーを設けるものが登場している。これらで沿面放電電圧は若干向上するが、界面    が緩みゴミ、水分が付着した場合には、従来のものと特性は殆ど変わらない。    【０００３】    【発明が解決しようとする課題】    長年に亘る数多くの電源コードの間違つての引っ張りや振動等によりコンセントとプ    ラグとの接合界面が緩み、そこにホコリ、ゴミ等が堆積し、これらが吸湿して沿面放    電が原因で火災が発生し、多くの人命が失なわれている。    【０００４】    【問題を解決する為の手段】    プラグ１とコンセント２の接合面を、片面または両面上に薄い軟質のゴム層を付けた    凹凸の勘合形（台形、円弧形、多角形等）にして沿面距離を長くして特性を向上させ    るか、またはサイズを小型化し、更に両者内に磁石３（粉状磁石）（図１、図２）を    挿入したり、それらの周辺にバネフツク８、クリツプ等の緩み防止具を用いたり、ま    たはコンセントに、軸底に回転盤１２を付け、その先端をネジに切つた軸１３を貫通    させ、これをプラグの凹部にあけた受けネジ孔１０に挿入し、ネジで両界面を引き寄    せ加圧、固定し、界面をボイドレスの絶縁にする。加えてプラグ、コンセントの両他    周辺にも同様の凹凸の勘合１１にして、より特性の向上を計る。この様にして界面に    ゴミ、水分の堆積を防ぎ、界面に面圧をかけそこをボイドレスの絶縁体にして決して    沿面放電が起こらないようにする。プラグ１とコンセント２の凹凸接合面を逆にして    もよい。    【０００５】    【発明の実施の形態】    コンセントの両電極間中央に設ける凸部の１寸法例を述べると、台形の底部が８．２    ｍｍ、上部５．２ｍｍ、高さ５．１ｍｍとし、プラグの受け凹部の寸法は底部が８．    ０ｍｍ、上部５．０ｍｍ、高さ５．０ｍｍとする。軸の先端にネジを切り、軸底に回    転盤を付けた軸径２ｍｍを中心に貫通させる。プラグの凹部の上部には軸の頭部ネジ    を受けるネジ孔を設け、軸底に付けた径１５ｍｍの円盤を回して両ネジを噛み合わせ    、両界面を引き寄せて締め付けて加圧する。    【０００６】    【効果】    長期間に亘り数多くの電源コードの間違つての引つ張りや振動等により、コンセント    とプラグとの界面が緩んで解離し、そこにゴミ、ホコリ等が堆積し、それらが吸湿し    て、遂には沿面放電が原因での火災が発生している。本発明により界面の凹凸勘合に    よる小型化と密着ボイドレス化により、沿面放電を完全に阻止して、多くの火災によ    る人命を救う事が出来る。    【図面の簡単な説明】    【図１】はプラグとコンセントの接合面での凹凸勘合部、両者の緩み防止用の加圧バ    ネフツク、または吸着用内臓磁石を示す縦断面図である。    【図２】は同上コンセントの平面図である。    【図３】はコンセントに軸底に回転盤、その先端をネジに切つた軸を貫通させネジ孔    のあるプラグにネジ止めして両界面を引き寄せ加圧、固定する斜視図である。    【符号の説明】    １プラグ    ２コンセント  ３磁石  ４ゴム絶縁体  ５差込電極  ６受け電極  ７反    転軸とハンドル  ８バネフツク  ９電源コード  １０受けネジ孔  １１周辺勘合凹凸    １２回転盤  １３軸【手続補正２】
【補正対象書類名】図面
【補正対象項目名】図３
【補正方法】追加
【補正の内容】
【図３】
2005251714.tif 000005
【手続補正４】
【補正対象書類名】特許請求の範囲
【補正対象項目名】全文
【補正方法】変更
【補正の内容】
【書類名】        特許請求の範囲  【請求項１】プラグ１とコンセント２の接合面を、片面または両面上に薄い軟質のゴ  ム層を付けた凹凸の勘合形（台形、円弧形、多角形等）にして沿面距離を長くして特  性を向上させるか、またはサイズを小型化し、更に両者内に磁石３（粉状磁石）（図  １、図２）を挿入したり、それらの周辺にバネフツク８、クリツプ等の緩み防止具を  用いたり、またはコンセントに、軸底に回転盤１２を付け、その先端をネジに切った  軸１３を貫通させ、これをプラグの凹部にあけた受けネジ孔１０に挿入し、ネジで両  界面を引き寄せ加圧、固定し、界面をボイドレスの絶縁にする。加えてプラグ、コン  セントの両他周辺にも同様の周辺勘合凹凸１１にして、より特性の向上を計る。（図  ３）